(57)【要約】  照明システム１００の第１センサ３２を較正するための方法５００は、照明システムの光源１２によって、ターゲット面５０を照明するステップ５２０と、第１センサによって、ターゲット面の第１領域５２からセンサデータを取得するステップ５３０と、第２センサ５４によって、第２領域５４からセンサデータを取得するステップ５４０であって、第２領域は第１領域内にある、ステップと、第２センサによって取得されたセンサデータを使用して、第１センサを較正するステップ５６０と、較正された第１センサからのデータに基づき、照明ユニットのパラメータを調整するステップ５７０と、を含む。
2019526152.tif 000002
【特許請求の範囲】
【請求項１】
照明システムの第１センサを較正するための方法であって、前記第１センサは、サーマルイメージャを含み、
前記照明システムの光源によって、ターゲット面を照明するステップと、
前記第１センサによって、前記ターゲット面の第１領域からセンサデータを取得するステップであって、前記センサデータは熱データを含む、ステップと、
第２センサによって、第２領域からセンサデータを取得するステップであって、前記第２領域は前記第１領域内にある、ステップと、
前記第２センサによって取得された前記センサデータを使用して、前記第１センサを較正するステップと、
較正された前記第１センサからのデータに基づき、前記照明ユニットのパラメータを調整するステップと、
を含む、方法。
【請求項２】
前記第２領域を手動で選択するステップを含む、請求項１に記載の方法。
【請求項３】
前記第２センサから取得された前記センサデータに少なくとも部分的に基づき、前記第２領域を選択するステップを含む、請求項１に記載の方法。
【請求項４】
較正された前記第１センサによって、前記ターゲット面の第１領域から付加的なセンサデータを取得するステップを含む、請求項１に記載の方法。
【請求項５】
前記第２センサは、光センサ、カメラ、飛行時間カメラ、マルチスペクトルイメージャ、占有センサ、サーマルイメージャ、ＲＦセンサ、及びマイクロホンから成る群から選択される、請求項１に記載の方法。
【請求項６】
前記較正するステップは、前記第１センサによって取得された前記センサデータと、前記第２センサによって取得された前記センサデータとの比較を含む、請求項１に記載の方法。
【請求項７】
前記センサデータは、特定の環境条件下でのみ前記第２領域から取得される、請求項１に記載の方法。
【請求項８】
サーマルイメージャを含む第１センサを較正するように構成されている照明ユニットであって、
光源と、
ターゲット面の第１領域からセンサデータを取得するように構成されている第１センサであって、前記センサデータは熱データを含む、第１センサと、
第２領域からセンサデータを取得するように構成されている第２センサであって、前記第２領域は前記第１領域内にある、第２センサと、
前記第２センサによって取得された前記センサデータを使用して、前記第１センサを較正し、較正された前記第１センサからのデータに基づき、前記照明ユニットのパラメータを調整するように構成されているコントローラと、
を含む、照明ユニット。
【請求項９】
前記コントローラは、前記第２センサから取得された前記センサデータに少なくとも部分的に基づき、前記第２領域の位置を選択するように構成されている、請求項８に記載の照明ユニット。
【請求項１０】
前記第２センサは、光センサ、カメラ、飛行時間カメラ、マルチスペクトルイメージャ、占有センサ、サーマルイメージャ、ＲＦセンサ、及びマイクロホンから成る群から選択される、請求項８に記載の照明ユニット。
【請求項１１】
サーマルイメージャを含む第１センサを較正するように構成されている照明システムであって、
光源と、コントローラと、第１センサと、を含む照明ユニットであって、前記第１センサは、ターゲット面の第１領域からセンサデータを取得するように構成されており、前記センサデータは熱データを含む、照明ユニットと、
第２領域からセンサデータを取得するように構成されている第２センサであって、前記第２領域は前記第１領域内にある、第２センサと、
を含む、照明システムであり、
前記コントローラは、前記第２センサによって取得された前記センサデータを使用して、前記第１センサを較正し、較正された前記第１センサからのデータに基づき、前記照明ユニットのパラメータを調整するように構成されている、
照明システム。
【請求項１２】
前記第２センサは、光センサ、カメラ、飛行時間カメラ、マルチスペクトルイメージャ、占有センサ、サーマルイメージャ、ＲＦセンサ、及びマイクロホンから成る群から選択される、請求項１１に記載の照明システム。
【発明の詳細な説明】
【技術分野】
【０００１】
本開示は、全般的に、センサを較正するための方法及びシステムに関する。
【背景技術】
【０００２】
センサ駆動型照明ユニットは、環境の特性をセンサによって監視し、センサデータを用いて、照明ユニットの光源を制御する。センサ駆動型照明ユニットの最も一般的な例は、周囲光レベルを測定する、一体化された光電池を使用して光レベルを監視するシステムである。例えば、夜間灯は周囲光を使用し、周囲光レベルが低下したときにオンにし、周囲光レベルが上昇したときにオフにする。同様に、スマート街路照明は、検知された周囲光を使用し、光源をいつオンにし、いつオフにするかを決定する。これらデバイスにおいて、周囲光レベルが監視される表面又はエリアと、照明されるターゲット面との間に関係はない。
【０００３】
しかし、より複雑な照明システムは、光源によって照明されるターゲット面を考慮に入れる。例えば、これら照明システムはマトリックスセンサを含んでもよく、マトリックスセンサは、通常、複数のセンシング要素を含み、存在情報又は照明品質などの情報を照明システム又はユニットに供給するように構成されている。光の測定は、通常、１つ以上の光電池又は周囲光センサによって実施され、１つ以上の光電池又は周囲光センサは、単一ルクス値を生成するためにそれらが観測する光を平均化する。照明システム又は照明器具は、照明される表面を、下の表面から来る反射光を測定することによって監視する一体化されたセンサ又は外部センサとして、マトリックスセンサを含むことができる。例えば、マトリックスセンサは、光レベルが光センサの設定値によって定義される要求される光レベルを超える場合に、光出力を低減するように照明システムに指示してもよい。
【０００４】
しかし、このセンサの構成は、照明設備が周囲光レベルセンサの視野外の領域を照明する場合には最適に満たない測定値をもたらす可能性がある。加えて、センサの構成は、マトリックスセンサが照明視野及び／又は視野内の反射光を正確に測定することができない場合には最適でない可能性がある。
【０００５】
したがって、当該技術分野においては、より正確な光プロファイルを提供するために、照明環境内のターゲット面の照明を測定し、特徴付けるセンサの較正を可能にする方法及びシステムに対する継続的なニーズがある。
【発明の概要】
【０００６】
本開示は、照明環境内のターゲット面の照明を測定するための発明的な方法及び装置に関する。本明細書の種々の実施形態及び実装形態は、カメラ、飛行時間カメラ、マルチスペクトルイメージャ、占有センサ、サーマルイメージャ及び／又はマイクロホンなどの、第１センサ及び外部第２センサの両方を有する照明ユニットに関する。外部第２センサは、第１センサのセンサ領域内の所定の領域のセンサ情報を取得するように構成されている。照明システムは、その後、外部第２センサからの情報を用いて第１センサを較正し、必要に応じ、較正された第１センサにより光出力を適合させる。
【０００７】
概して、一態様では、照明ユニットによって照明環境内のターゲット面の照明を測定するための方法は、照明システムの光源によって、ターゲット面を照明するステップと、第１センサによって、ターゲット面の第１領域からセンサデータを取得するステップと、第２センサによって、第２領域からセンサデータを取得するステップであって、第２領域は第１領域内にある、ステップと、第２センサによって取得されたセンサデータを使用して、第１センサを較正するステップと、較正された第１センサからのデータに基づき、照明ユニットのパラメータを調整するステップと、を含む。
【０００８】
一実施形態によれば、方法は、第２領域を手動で選択するステップを含む。
【０００９】
一実施形態によれば、方法は、第２センサから取得されたセンサデータに少なくとも部分的に基づき、第２領域を選択するステップを含む。
【００１０】
一実施形態によれば、方法は、較正された第１センサによって、第１領域ターゲット面から付加的なセンサデータを取得するステップを含む。
【００１１】
一実施形態によれば、第１センサ及び第２センサは、光センサ、カメラ、飛行時間カメラ、マルチスペクトルイメージャ、占有センサの種類の中でもとりわけパッシブ赤外線センサ（passive infrared sensor；ＰＩＲ）などの占有センサ、サーマルイメージャ、ＲＦセンサ及び／又はマイクロホンであり得る。
【００１２】
一実施形態によれば、較正ステップは、第１センサによって取得されたセンサデータと、第２センサによって取得されたセンサデータとの比較を含む。
【００１３】
一態様によれば、第１センサを較正するように構成されている照明ユニット。照明ユニットは、光源と、ターゲット面の第１領域からセンサデータを取得するように構成されている第１センサと、第２領域からセンサデータを取得するように構成されている第２センサであって、第２領域は第１領域内である、第２センサと、第２センサによって取得されたセンサデータを使用して、第１センサを較正し、較正された第１センサからのデータに基づき、照明ユニットのパラメータを調整するように構成されているコントローラと、を含む。
【００１４】
一態様によれば、第１センサを較正するように構成されている照明システム。照明システムは、光源と、コントローラと、第１センサと、を含む照明ユニットであって、第１センサは、ターゲット面の第１領域からセンサデータを取得するように構成されている、照明ユニットと、第２領域からセンサデータを取得するように構成されている第２センサであって、第２領域は第１領域内にある、第２センサと、を含み、コントローラは、第２センサによって取得されたセンサデータを使用して、第１センサを較正し、較正された第１センサからのデータに基づき、照明ユニットのパラメータを調整するように構成されている。
【００１５】
本開示の目的に関して本明細書で使用されるとき、用語「ＬＥＤ」は、任意の電界発光ダイオード、あるいは、電気信号に応答して放射線を生成することが可能な、他のタイプのキャリア注入／接合ベースのシステムを含むように理解されるべきである。それゆえ、ＬＥＤという用語は、限定するものではないが、電流に応答して光を放出する様々な半導体ベースの構造体、発光ポリマー、有機発光ダイオード（organic light emitting diode；ＯＬＥＤ）、電界発光ストリップなどを含む。特に、ＬＥＤという用語は、赤外スペクトル、紫外スペクトル、及び（一般に、約４００ナノメートル〜約７００ナノメートルの放射波長を含む）可視スペクトルの様々な部分のうちの１つ以上で放射線を生成するように構成されてもよい、（半導体ダイオード及び有機発光ダイオードを含めた）全てのタイプの発光ダイオードを指す。ＬＥＤの一部の例としては、限定するものではないが、（以下で更に論じられる）様々なタイプの赤外ＬＥＤ、紫外ＬＥＤ、赤色ＬＥＤ、青色ＬＥＤ、緑色ＬＥＤ、黄色ＬＥＤ、アンバーＬＥＤ、橙色ＬＥＤ、及び白色ＬＥＤが挙げられる。また、ＬＥＤは、所与のスペクトルに関する様々な帯域幅（例えば、半値全幅、すなわちＦＷＨＭ）（例えば、狭帯域幅、広帯域幅）と、所与の一般的色分類内の様々な主波長とを有する放射線を生成するように、構成及び／又は制御されてもよい点も理解されたい。
【００１６】
例えば、本質的に白色光を生成するように構成されているＬＥＤ（例えば、白色ＬＥＤ）の一実装形態は、それぞれが異なる電界発光スペクトルを放出する、いくつものダイを含んでもよく、それらのスペクトルは組み合わされて、実質的な白色光を形成するように混合する。別の実装形態では、白色光ＬＥＤは、第１のスペクトルを有する電界発光を、異なる第２のスペクトルに変換する、蛍光体材料に関連付けられてもよい。この実装形態の一実施例では、比較的短い波長及び狭帯域スペクトルを有する電界発光が、蛍光体材料を「ポンピング」すると、その蛍光体材料が、やや広いスペクトルを有する、より長い波長の放射線を放射する。
【００１７】
また、ＬＥＤという用語は、ＬＥＤの物理的及び／又は電気的パッケージのタイプを制限しない点も理解されたい。例えば、上述のように、ＬＥＤは、それぞれが異なる放射線スペクトルを放出するように構成された（例えば、個別に制御可能であってもよく、又は制御可能でなくてもよい）複数のダイを有する、単一の発光デバイスを指してもよい。また、ＬＥＤは、そのＬＥＤ（例えば、何らかのタイプの白色ＬＥＤ）の一体部分として見なされる、蛍光体に関連付けられてもよい。一般に、ＬＥＤという用語は、パッケージ化ＬＥＤ、非パッケージ化ＬＥＤ、表面実装ＬＥＤ、チップオンボードＬＥＤ、Ｔ型パッケージ実装ＬＥＤ、放射状パッケージＬＥＤ、電力パッケージＬＥＤ、何らかのタイプの収容部及び／又は光学要素（例えば、拡散レンズ）を含むＬＥＤなどを指してもよい。
【００１８】
用語「光源」は、限定するものではないが、（上記で定義されたような１つ以上のＬＥＤを含む）ＬＥＤベース光源、白熱光源（例えば、フィラメントランプ、ハロゲンランプ）、蛍光源、燐光源、高輝度放電源（例えば、ナトリウム蒸気ランプ、水銀蒸気ランプ、及び金属ハロゲン化物ランプ）、レーザ、他のタイプの電界発光源、熱ルミネセンス源（例えば、火炎）、キャンドルルミネセンス源（例えば、ガスマントル、炭素アーク放射源）、フォトルミネセンス源（例えば、ガス状放電源）、電子飽和を使用するカソードルミネセンス源、ガルバノルミネセンス源、結晶ルミネセンス源、キネルミネセンス源、サーモルミネセンス源、トリボルミネセンス源、ソノルミネセンス源、放射ルミネセンス源、及びルミネセンスポリマーを含めた、様々な放射源のうちの任意の１つ以上を指すことを理解されたい。
【００１９】
所与の光源は、可視スペクトル内、可視スペクトル外、又は双方の組み合わせの電磁放射を生成するように構成されてもよい。それゆえ、用語「光」及び用語「放射線」は、本明細書では互換的に使用される。更には、光源は、一体化構成要素として、１つ以上のフィルタ（例えば、カラーフィルタ）、レンズ、又は他の光学構成要素を含み得る。また、光源は、限定するものではないが、指標、表示、及び／又は照明を含めた、様々な用途に関して構成されてもよい点も理解されたい。「照明源」は、内部空間又は外部空間を効果的に照明するための十分な強度を有する放射線を生成するように、特に構成されている光源である。この文脈では、「十分な強度」とは、アンビエント照明（すなわち、間接的に知覚され得る光であって、例えば、全体的又は部分的に、知覚される前に様々な介在表面のうちの１つ以上から反射され得る光）を供給するために十分な、空間又は環境内で生成される可視スペクトルにおける放射力を指す（多くの場合、放射力又は「光束」の点から、光源からの全ての方向での全光出力を表すために、単位「ルーメン」が採用される）。
【００２０】
用語「照明具」は、特定のフォームファクタ、アセンブリ、若しくはパッケージでの、１つ以上の照明ユニットの実装又は構成を指すために、本明細書では使用される。用語「照明ユニット」は、本明細書では、同じタイプ又は異なるタイプの１つ以上の光源を含む装置を指すために使用される。所与の照明ユニットは、光源に関する様々な取り付け構成、エンクロージャ／ハウジングの様々な構成及び形状、並びに／又は電気的接続及び機械的接続の様々な構成のうちの、任意の１つを有し得る。更には、所与の照明ユニットは、オプションとして、光源の動作に関連する様々な他の構成要素（例えば、制御回路）に関連付けられて（例えば、含んで、結合されて、及び／又は一体にパッケージ化されて）もよい。「ＬＥＤベースの照明ユニット」とは、上述のような１つ以上のＬＥＤベースの光源を、単独で、又は他の非ＬＥＤベースの光源と組み合わせて含む、照明ユニットを指す。「マルチチャネル」照明ユニットとは、それぞれが異なる放射線スペクトルを生成するように構成された、少なくとも２つの光源を含む、ＬＥＤベース又は非ＬＥＤベースの照明ユニットを指し、異なる光源スペクトルのそれぞれが、そのマルチチャネル照明ユニットの「チャネル」と称されてもよい。
【００２１】
様々な実装形態では、プロセッサ又はコントローラは、１つ以上の記憶媒体（本明細書では「メモリ」と総称される、例えば、ＲＡＭ、ＰＲＯＭ、ＥＰＲＯＭ、及びＥＥＰＲＯＭなどの、揮発性及び不揮発性のコンピュータメモリ、フロッピーディスク、コンパクトディスク、光ディスク、磁気テープなど）に関連付けられてもよい。一部の実装形態では、これらの記憶媒体は、１つ以上のプロセッサ及び／又はコントローラ上で実行されると、本明細書で論じられる機能の少なくとも一部を実行する、１つ以上のプログラムでエンコードされてもよい。様々な記憶媒体は、プロセッサ又はコントローラ内に固定されてもよく、あるいは、それらの記憶媒体上に記憶されている１つ以上のプログラムが、本明細書で論じられる本発明の様々な態様を実施するために、プロセッサ又はコントローラ内にロードされることができるように、可搬性であってもよい。用語「プログラム」又は用語「コンピュータプログラム」は、本明細書では、１つ以上のプロセッサ又はコントローラをプログラムするために採用されることが可能な、任意のタイプのコンピュータコード（例えば、ソフトウェア又はマイクロコード）を指すように、一般的な意味で使用される。
【００２２】
１つのネットワーク実装では、ネットワークに結合された１つ以上のデバイスは、そのネットワークに結合された１つ以上の他のデバイスに対するコントローラとして（例えば、マスタ／スレーブの関係で）機能し得る。別の実装形態では、ネットワーク化された環境は、そのネットワークに結合されたデバイスのうちの１つ以上を制御するようにコンフィギュレーションされている、１つ以上の専用コントローラを含み得る。一般に、ネットワークに結合された複数のデバイスは、それぞれが、通信媒体上に存在しているデータへのアクセスを有し得るが、しかしながら、所与のデバイスは、例えば、そのデバイスに割り当てられている１つ以上の特定の識別子（例えば、「アドレス」）に基づいて、ネットワークと選択的にデータを交換する（すなわち、ネットワークからデータを受信する、及び／又はネットワークにデータを送信する）ようにコンフィギュレーションされているという点で、「アドレス可能」であってもよい。
【００２３】
用語「ネットワーク」とは、本明細書で使用されるとき、任意の２つ以上のデバイス間での、及び／又はネットワークに結合された複数のデバイスの間での、（例えば、デバイス制御、データ記憶、データ交換などに関する）情報の転送を容易にする、（コントローラ又はプロセッサを含む）２つ以上のデバイスの任意の相互接続を指す。容易に理解されるように、複数のデバイスを相互接続するために好適なネットワークの様々な実装は、様々なネットワークトポロジのうちのいずれかを含み、様々な通信プロトコルのうちのいずれかを採用してもよい。更には、本開示による様々なネットワークでは、２つのデバイス間の任意の１つの接続は、それら２つのシステム間の専用接続、又は代替的に、非専用接続を表してもよい。２つのデバイスを対象とする情報の搬送に加えて、そのような非専用接続は、それら２つのデバイスのいずれかを必ずしも対象としない情報を搬送してもよい（例えば、オープンネットワーク接続）。更には、本明細書で論じられるデバイスの様々なネットワークは、そのネットワーク全体にわたる情報転送を容易にするために、１つ以上の無線リンク、有線／ケーブルリンク、及び／又は光ファイバリンクを採用してもよい点が、容易に理解されよう。
【００２４】
上述の概念と、以下でより詳細に論じられる追加的概念との全ての組み合わせは（そのような概念が互いに矛盾しないという条件下で）、本明細書で開示される発明の主題の一部であると想到される点を理解されたい。特に、本開示の最後に記載されている特許請求される主題の全ての組み合わせは、本明細書で開示される発明の主題の一部であると想到される。また、参照により組み込まれるいずれかの開示にもまた現れ得る、本明細書で明示的に採用されている用語は、本明細書で開示される特定の概念と最も一致する意味が与えられるべきであることも理解されたい。
【図面の簡単な説明】
【００２５】
図面中、同様の参照文字は、一般に、異なる図の全体にわたって同じ部分を指す。また、これらの図面は、必ずしも正しい縮尺ではなく、その代わりに、全般的に、本発明の原理を例示することに重点が置かれている。
【００２６】
【図１】一実施形態による照明ユニットの概略図である。
【図２】一実施形態による照明システムの概略図である。
【図３】一実施形態による照明システムの概略図である。
【図４】一実施形態による照明システムのターゲット面の概略図である。
【図５】一実施形態による照明システム内のセンサを較正するための方法のフローチャートである。
【発明を実施するための形態】
【００２７】
本開示は、センサの較正を向上させるように構成された照明ユニットの種々の実施形態を記載する。より全般的には、本出願人は、第１センサの較正を向上させるために、第１センサによってターゲット面又は領域の品質を測定する照明ユニット、照明具（fixture）、又はシステムを、第１センサによってターゲット面又は領域内の特定の所定の領域を測定する高品質の外部センサとともに設けることが有益であろうと認識し、理解している。本開示の特定の実施形態の利用の特定の目的は、照明ユニットの光出力を、較正された第１センサからの入力を使用して調整することである。
【００２８】
上記の観点から、種々の実施形態及び実装形態は、ターゲット面又はエリアの品質を測定するセンサを有する照明ユニット又はシステムに関する。２次元及び／若しくは３次元画像を撮影可能なカメラ、飛行時間カメラ、マルチスペクトルイメージャ、占有センサの種類の中でもとりわけパッシブ赤外線センサ（ＰＩＲ）などの占有センサ、サーマルイメージャ、レーダセンサ、ＲＦセンサ、及び／又はマイクロホンなどの、第１センサの外部にある別のセンサが、第１センサによって測定されるターゲット面又はエリア内の特定の副表面又は副エリアを特徴付けるために利用される。照明システムは、第２センサからのセンサデータを利用し、第１センサを較正する。特に、第１センサは、マトリックスセンサであってもよく、又は単一センサ要素であってもよい。同様に、第２センサは、マトリックスセンサ又は単一センサ要素のいずれかであってもよい。一実施形態によれば、例えば、ＲＦセンサは、レーダ、超音波、及び／又はマイクロ波センサを含むがそれらに限定されない任意のＲＦセンサであってよく、又はＲＦ対応デバイス（電話、ＷｉＦｉアクセスポイント、Ｂｌｕｅｔｏｏｔｈデバイス、及び他のデバイスなど）からの電波を検知することが可能なパッシブＲＦセンサであり得る。
【００２９】
図１を参照すると、一実施形態では、照明システム１００が設けられている。照明システムは、１つ以上の光源１２を有する照明ユニット１０を含み、照明ユニット１０において光源のうちの１つ以上はＬＥＤベース光源であってもよい。更に、ＬＥＤベース光源は、１つ以上のＬＥＤを有してもよい。光源は、１つ以上の光源ドライバ２４によって、所定の特性（即ち、色強度、色温度）の光を放出するように駆動され得る。種々の異なる色の放射を生成するように適合された多くの異なる数及び様々な種類の光源（全てＬＥＤベース光源、ＬＥＤベース光源及び非ＬＥＤベース光源を単独で又は組み合わせて、等）が照明ユニット１０に用いられてもよい。一実施形態によれば、照明ユニット１０は、夜間灯、街路灯、卓上ランプ、又は任意の他の屋内若しくは屋外照明器具を含むがこれらに限定されない任意の種類の照明器具であり得る。
【００３０】
一実施形態によれば、照明ユニット１０は、１つ以上の光源１２ａ〜１２ｄを駆動し、光源から様々な強度、方向及び／又は色の光を生成するための１つ以上の信号を出力するように構成又はプログラムされているコントローラ２２を含む。例えば、コントローラ２２は、各光源によって生成される光の強度及び／又は色を独立的に制御するため、光源の群を制御するため、又は全ての光源をまとめて制御するために、各光源の制御信号を生成するようにプログラム又は構成されていてもよい。別の態様によれば、コントローラ２２は、光源ドライバ２４などの他の専用回路を制御してもよく、光源ドライバ２４などの他の専用回路は次に、光源を、それらの強度を変化させるように制御する。コントローラ２２は、例えば、ソフトウェアを用いて、本明細書中に記載される種々の機能を実施するようにプログラムされ、メモリ２８と併せて使用され得るプロセッサ２６であり得る又はそのようなプロセッサ２６を有し得る。メモリ２８は、プロセッサ２６によって実行するための１つ以上の照明コマンド又はソフトウェアプログラムを含むデータのみならず、その照明ユニットの特定の識別子を含むがこれに限定されない様々な種類のデータを記憶することができる。例えば、メモリ２８は、非一時的コンピュータ可読記憶媒体であってもよく、非一時的コンピュータ可読記憶媒体は、プロセッサ２６によって実行可能であり、システムに本明細書中に記載される方法のステップの１つ以上を実行させる命令セットを含む。
【００３１】
以下でより詳細に説明されるように、コントローラ２２は、とりわけ周囲光条件などの所定のデータを基に、光源ドライバ２４に光源１２の強度及び／又は色温度を調整させるようにプログラムされ得る、構造化され得る、及び／又は構成され得る。一実施形態によれば、コントローラ２２は、また、有線又は無線通信モジュールであってもよい通信モジュール３４によって受信された通信を基に、光源ドライバ２４に光源１２の強度及び／又は色温度を調整させるようにプログラムされ得る、構造化され得る、及び／又は構成され得る。
【００３２】
照明ユニット１０は、また、電源３０、最も典型的には交流電源を含むが、とりわけ、直流電源、ソーラーベース電源、又は機械ベース電源を含む他の電源も可能である。電源は、外部電源から受け取った電力を、照明ユニットにより使用可能な形態に変換する電源コンバータと動作可能に通信してもよい。照明ユニット１０の種々の構成要素に電力を供給するために、電源は、ライトユニットの構成要素に電力を供給する目的で、外部交流電源３０から交流電力を受け取り、それを直流に変換する交流／直流コンバータ（例えば、整流回路）も含むことができる。付加的に、照明ユニット１０は、交流／直流コンバータへの接続を介して再充電されるとともに交流電源３０への回路が開放されるとコントローラ２２及び光源ドライバ２４に電力を供給することができる充電式バッテリ又はコンデンサなどのエネルギー貯蔵デバイスを含むことができる。
【００３３】
加えて、照明ユニット１０は光センサ又は計器などの第１センサ３２を含み、光センサ又は計器などの第１センサ３２は、コントローラ２２の入力に接続されているとともに照明ユニット１０の近傍の周囲光データなどのセンサデータを収集し、そのデータをコントローラ２２に、又は通信モジュール３４を介して外部に送信することができる。図２に示されるシステム２００などのいくつかの実施形態では、センサ３２は照明ユニット１０から離れており、取得されたセンサデータを照明ユニットの有線又は無線通信モジュール３４に送信する。無線通信モジュール３４は、コントローラ２２と通信する状態で配置された、例えば、Ｗｉ−Ｆｉ、Ｂｌｕｅｔｏｏｔｈ、ＩＲ、ラジオ、若しくは近距離通信であり得る、又は、代替的に、コントローラ２２は無線通信モジュールに統合され得る。第１センサ３２はマトリックスセンサ、又は単一センサ要素であってもよい。
【００３４】
一実施形態によれば、照明ユニット１０は、センサの中でもとりわけ、光センサ、２次元及び／若しくは３次元画像を撮影可能なカメラ、飛行時間カメラ、マルチスペクトルイメージャ、占有センサ、サーマルイメージャ、高周波センサ、及び／又はマイクロホンなどの第２センサ３８を含む。センサ３８は、マトリックスセンサ又は単一センサ要素のいずれかであってもよい。センサ３８は、デバイス１０の外部に配置され得る、又はデバイス１０に統合され得る。センサ３８はコントローラ２２の入力に直接的又は間接的に接続されており、照明環境内のターゲット面５０に関する情報を収集し、そのデータをコントローラ２２に、又は無線通信モジュール３４を介して外部に送信することができる。図２に示されるシステム２００などのいくつかの実施形態では、センサ３８は照明ユニット１０から離れており、取得されたセンサデータを照明ユニットの無線通信モジュール３４に送信する。無線通信モジュール３４は、コントローラ２２と通信する状態で配置された、例えば、Ｗｉ−Ｆｉ、Ｂｌｕｅｔｏｏｔｈ、ＩＲ、ラジオ、若しくは近距離通信であり得る、又は、代替的に、コントローラ２２は無線通信モジュールに統合され得る。
【００３５】
当業者であれば、センサが１つ以上のデータ収集ユニットを含むことができることを認識するであろう。第１センサ３２及び第２センサ３８のいずれかが、又はセンサ３２及び第２センサ３８の機能が１つのセンサによって実施される場合には単一センサが、１つ以上のデータ収集ユニットを含むことができる。一例として、センサ３２は２つ以上の照度計を含むことができる。別の例として、第２センサ３８は、センサの中でもとりわけ、２つ以上のカメラ、２つ以上の飛行時間カメラ、２つ以上のマルチスペクトルイメージャ、２つ以上の占有センサ、２つ以上のサーマルイメージャ、及び／又は２つ以上のマイクロホンを含むことができる。付加的に、センサは、カメラ、マイクロホン、及びパッシブ赤外線センサなどの２つ以上のセンサの組み合わせを含むことができる。組み合わせたセンサは、照明ユニット１０のプロセッサと通信する単一ユニットであり得る又は複数ユニットであり得る。単なる一例として、マイクロホンセンサは、検出される雑音との良好な空間的整合を可能にするために、２つ以上のマイクロホンのアレイを含んでもよい。
【００３６】
一実施形態によれば、第１センサ３２及び第２センサ３８は、２つのセンサが１つ以上の動作目的を達成することができるように互いに対して空間的に配置されている。これは、第２センサ３８が情報を取得する照明環境内の領域が、照度計の空間的観察窓と共局在化する又は同一の広がりを持つことを確実にする。例えば、第２センサが飛行時間カメラである場合、そのときは、飛行時間カメラは、照度計が情報を取得する照明環境内の同一領域、エリア又は表面に関する情報を取得するように方向付けられなければならない。
【００３７】
特に、図４に示されるように、第１センサ３２及び第２センサ３８は、それらのターゲット領域が重なるように配置される。ターゲット面５０は、照明システム又はユニットによって照明される領域である。そのターゲット面内に、第１センサ３２はセンサ領域５２を含み、第１センサは、センサ領域５２から、センサデータを取得する。第１センサ３２のセンサ領域５２はターゲット面のサブセットとして示されるが、一実施形態によれば、センサ領域はターゲット面全体を含んでもよい。第２センサ３８は、センサ領域５２内により小さなセンサ領域５４を含み、第２センサは、より小さなセンサ領域５４からセンサデータを取得する。一実施形態によれば、第２センサ３８のセンサ領域５４は、テーブル、デスク、又は他の表面などの、他の表面に比べてより正確に照明される特定の表面であり得る。
【００３８】
図２を参照すると、一実施形態では、照明ユニット１０を含む照明システム２００が設けられている。照明ユニット１０は、本明細書中に記載される、さもなければ想定される実施形態のいずれとすることもでき、要素の中でもとりわけ、１つ以上の光源１２、光源ドライバ２４、コントローラ２２、及び無線通信モジュール３４などの、図１とともに記載した照明ユニットの構成要素のいずれを含むこともできる。照明システム２００は、また、検出構成要素１４を含み、検出構成要素１４は、要素の中でもとりわけ、第１センサ３２及び無線通信モジュール３６を含む。無線通信モジュール３４及び３６は、互いに及び／又は無線デバイス６０と通信する状態で配置された、例えば、Ｗｉ−Ｆｉ、Ｂｌｕｅｔｏｏｔｈ、ＩＲ、又は近距離通信であることができ、無線デバイス６０は、無線デバイスの中でもとりわけ、例えば、ネットワーク、コンピュータ、サーバ、又はハンドヘルド型コンピューティングデバイスであり得る。検出構成要素１４は第２センサ３８を含んでも含まなくてもよい。図２では、照明システム２００の検出構成要素１４は第２センサ３８を含む。
【００３９】
これに対し、第２センサ３８が照明ユニット１０及び検出構成要素１４両方の外部にある場合、第２センサは、付加的な無線通信モジュールを含んでもよい。例えば、図３を参照すると、一実施形態では、照明システム３００は、照明ユニット１０と、第１センサ３２及び無線通信モジュール３６ａを有する検出構成要素１４と、無線通信モジュール３６ｂを有する外部第２センサ３８と、を含む。
【００４０】
一実施形態によれば、本明細書中に記載する、さもなければ想定される照明システムは、第１センサ３２として機能する一体型サーマルカメラを有する照明器具を含む。サーマルカメラは、様々な理由で限られた精度を有する場合がある温度読み取り値を提供する。照明システムはまた、一体型サーマルカメラの画像領域内の特定の領域からデータを取得する、第２センサ３８として機能する高分解能の温度センサも含む。高分解能の温度センサ３８からの温度読み取り値は、その後、一体型サーマルカメラ３２の性能を較正するために利用され得る。
【００４１】
別の実施形態によれば、本明細書中に記載される、さもなければ想定される照明システムは、第１センサ３２として機能する一体型カメラを有する照明器具を含む。カメラは、種々の理由で限られた精度を有する場合がある光読み取り値を提供する。照明システムはまた、一体型カメラの画像領域内の特定の領域からデータを取得する、第２センサ３８として機能する高分解能のルクス計も含む。例えば、部屋を照明する場合、カメラ３２はテーブル、床、椅子、及び他の物体などの複数の表面から反射した光を観測してもよい。これに対し、ルクス計３８は、デスクのみから反射した光を観測してもよい。異なる視野は異なる光レベル推定値となる。光レベルの計算が、画像内の、ルクスセンサによって観測されるエリアに等しい領域のみに限定される場合、カメラセンサは、自動的かつより正確に較正され得る。一実施形態によれば、較正手順は、カメラ画像全体によって観測された反射光と、テーブル上の照明器具の真下にあるルクス計によって観測された光との間の関係をモデル化する。別の実施形態によれば、カメラ３２はまた、ルクス計によって観測されるエリア外の領域の光レベル推定値を提供するためにも用いられ得る。
【００４２】
一実施形態によれば、類似の解析及び較正が、光制御及びそれ以外に関連する存在及び環境条件を監視することができるサーマルイメージャ及び飛行時間イメージャ等の他のマトリックスセンシング要素に用いられ得る。飛行時間（time of flight；ＴｏＦ）センサの原理では、観測されるシーン上に投影されるアクティブ照明を使用する。アクティブ照明源からの反射光は、送られた照明と受光された照明との間の位相（即ち飛行時間）を測定するセンサによって捕捉される。位相測定、故に、レンジデータの精度は、照明強度、及びシーン内における物体の反射率に依存する。アクティブ照明がなければ、ＴｏＦイメージャはカメライメージャと同様に機能するため、光レベル推定値の較正には同じ概念が当てはまる。ＴｏＦセンサはレンジデータも提供することから、第２センサからの測定されたルクス値は、第２センサの視野内の測定される範囲の光レベルを較正するために使用され得る。ＴｏＦカメラは、レンジ情報、測定された光分布、及び特定レンジの較正された光値に基づき、第２センサの視野外の領域の光値を推定することができる。
【００４３】
一実施形態によれば、本明細書中に記載される、さもなければ想定される照明システムは、多くの中でもとりわけ、存在検知などの屋内又は屋外用途に適合され得る。オフィス環境では、例えば、人及び電子デバイス等の物体はそれらの熱シグネチャによって場所を特定される。あるいは、熱情報は、環境条件を抽出するために使用され得る。しかし、オフィスの室内の人及び放熱デバイスの活動は熱読み取り値に影響する。したがって、サーモスタットなどの第２センサが視野内に存在する場合、画像内のその領域は、センサの較正のために利用され得る。サーモスタットの正確かつ絶対温度読み取り値は、同一領域を観測する画素情報と比較され得る。
【００４４】
別の実施形態によれば、照明ユニットの第１及び／又は第２センサは、同一照明システム又は隣接する照明システム内のいずれかの、隣接する照明ユニットによって利用され得る。例えば、第１センサが較正され、第１センサが、隣接する照明ユニットの別の第１センサとのオーバラップを有する場合、第１センサは、隣接する照明ユニット内の第２センサとして、隣接する照明ユニットの第１センサを較正するために利用され得る。したがって、伝播により、照明設備全体が最初の第２センサによって較正され得る。あるいは、第２センサは、それがこれら複数の隣接する照明ユニットの第１センサのそれぞれのターゲット領域内のターゲット領域を取得することができる場合、複数の隣接する照明ユニットに寄与することができる。２つ以上の照明ユニット及び共有の第１及び／又は第２センサを含む多くの他の構成が可能である。
【００４５】
図５を参照すると、一実施形態における、一実施形態による照明環境内のターゲット面の照明を測定するための方法５００を示すフローチャートである。ステップ５１０では、照明システム１００が設けられる。照明システム１００は、本明細書中に記載される、さもなければ想定される実施形態のいずれとすることもでき、要素の中でもとりわけ、１つ以上の光源１２、光源ドライバ２４、コントローラ２２、第１センサ３２、及び通信モジュール３４などの、図１〜図３とともに記載した照明ユニット１０の構成要素のいずれを含むこともできる。一実施形態によれば、照明システム又は照明ユニット１０は、ターゲット面５０の全体又は一部を照明するように構成されている。第１センサ３２は、ターゲット領域５０内の第１領域５２からセンサデータを取得するように構成されている。
【００４６】
照明システム１００はまた、第２センサ３８を含んでもよく、第２センサ３８は、照明ユニット１０に一体化されていてもよく、又は照明ユニット１０の外部にあってもよい。例えば、第２センサ３８は、照明ユニット１０に有線接続されてもよい及び／又は照明ユニット１０と通信するための無線通信モジュールを含んでもよい。第２センサ３８は、第１センサ３２のターゲット領域５２内の領域５４からセンサデータを取得するように構成されている。
【００４７】
方法のステップ５２０において、照明ユニット１０は、ターゲット面５０の全体又は一部を１つ以上の光源１２によって照明する。一実施形態によれば、照明ユニットは内部若しくは外部照明器具又は照明具である。例えば、照明ユニットは、街路用照明具又は他の外部照明具であることができ、街路又は歩道などのターゲット面を照明するように構成されている。別の例として、照明ユニットは、部屋又は廊下などのターゲット面を照明するように構成されたオフィス用照明具又は他の屋内照明具であり得る。多くの他の照明具の位置、構成、及びターゲットが可能である。第１センサ３２は、したがって、照明ユニットが利用されるいずれの場所、構成、又はターゲットのセンサ情報も取得するように構成されている。
【００４８】
方法のステップ５３０において、第１センサ３２は、ターゲット面５０内の領域５２のセンサ情報を取得する。特に、一実施形態によれば、領域５２は、ターゲット面５０全体、又はターゲット面５０のサブセットであり得る。領域５２は、ターゲット面全体とターゲット面のサブセットとの間で調整可能であってもよい。第１センサは、センサの中でもとりわけ、光センサ、２次元及び／若しくは３次元画像を撮影可能なカメラ、飛行時間カメラ、マルチスペクトルイメージャ、占有センサ、サーマルイメージャ、高周波センサ、及び／又はマイクロホンを含むがこれらに限定されない任意のデータセンサであり得る。第１センサ３２はコントローラ２２にセンサ情報を通信し、コントローラ２２で情報が解析され得る及び／又はメモリ２８内に記憶され得る。一実施形態によれば、センサはセンサデータを連続的に取得する。別の実施形態によれば、センサは、センサデータを、多くの期間の中でもとりわけ、毎分１回又は１分につき複数回など、定期的に取得する。
【００４９】
方法のステップ５４０において、第２センサ３８は、第１センサ３２の領域５２内の領域５４のセンサデータを取得する。領域５４は、好ましくは、領域５２のサブセット、及びターゲット面５０のサブセットである。第２センサは、センサの中でもとりわけ、光センサ、２次元及び／若しくは３次元画像を撮影可能なカメラ、飛行時間カメラ、マルチスペクトルイメージャ、占有センサ、サーマルイメージャ、高周波センサ、及び／又はマイクロホンを含むがこれらに限定されない任意のデータセンサであり得る。第２センサ３２は、コントローラ２２にセンサ情報を通信し、コントローラ２２で情報が解析され得る及び／又はメモリ２８内に記憶され得る。一実施形態によれば、第２センサはセンサデータを連続的に取得する。別の実施形態によれば、第２センサは、センサデータを、多くの期間の中でもとりわけ、毎分１回又は１分につき複数回など、定期的に取得する。
【００５０】
オプションのステップ５３２に示されるように、第２センサ３８のターゲット領域５４は、第２センサ３８又は照明システム１００の製造又は設定／設置中に、予めプログラムされ得る又は予め決定され得る。一実施形態によれば、領域５４の位置は調整可能である。例えば、第２センサ３８のターゲット領域５４は、第２センサの位置又はポジショニングを調整することによって決定され得る。一実施形態によれば、第２センサ３８は、テーブル、デスク、又は他の表面などの特定の照明された表面から反射された光を取得測定する光センサである。
【００５１】
別の実施形態によれば、第２センサ３８は飛行時間カメラである。飛行時間センサ又はカメラは、照明環境から反射された光を受光し、照明ユニットの光源によって送られた光と、受光された光との間の位相を測定する。センサ又はコントローラは、その後、センサとターゲット面との間の自由空間を決定するために、平面フィッティング又は別の解析方法を使用することができる。一実施形態によれば、位相測定及びレンジデータの精度は、照明強度と、照明環境内の物体又は表面の反射率とに依存する。付加的に、センサは、太陽によって放出される近赤外スペクトルも検知することができる。
【００５２】
一実施形態によれば、第２センサ３８はマルチスペクトルイメージャである。マルチスペクトルイメージャは、電磁スペクトルの２つ以上の特定周波数において画像データを捕捉する。マルチスペクトルイメージャは、１つ以上のフィルタによって波長を分離することができる、又はそれぞれ異なる波長に感度を有する、２つ以上のセンサを使用することができる。マルチスペクトルイメージャは、ターゲット面及び非ターゲット面両方を含み得る、照明環境のマルチスペクトル画像を取得する。マルチスペクトル画像は、例えば、ターゲット面である画像内の領域、及びもしあれば、非ターゲット面である領域を識別するために解析され得る。
【００５３】
一実施形態によれば、第２センサ３８はサーマルイメージャである。サーマルイメージャは、照明環境内の１つ以上の位置の熱画像、又はサーモグラムを捕捉し、画像は、照明ユニット又はシステムによって、環境条件を決定するために利用される。例えば、個人及び電子デバイスなどの物体は、それらが熱画像内で識別されることを可能にする熱シグネチャを持つ。自然光のある照明環境において、熱画像は、日光によって生じた熱の領域を検知するために利用され得る。照明環境内の他の活動又は物体は同様に識別され得る及び／又は特徴付けられ得る。
【００５４】
別の実施形態によれば、第２センサ３８は占有センサである。占有センサは、典型的には、赤外線センサ、超音波センサ、及び／又はマイクロ波センサを使用して占有者を検知する。照明ユニット又はシステムは、現在の占有又は経時的に作成された占有マップのいずれかを使用して、占有者によって影響されている照明環境内の領域はもとより、占有者によって全く影響されない又はめったに影響されない領域を識別することができる。
【００５５】
一実施形態によれば、第２センサ３８は高周波センサである。多くの可能性の中でもとりわけ、高周波センサは、場所が特定されたモバイル機器の領域内の画素を排除するために、１つ以上のモバイル機器の存在を決定し、１つ以上のモバイル機器の位置を三角法で測定することができる。多くの他のオプションが可能である。
【００５６】
更に別の実施形態によれば、第２センサ３８はマイクロホンである。マイクロホンは、個人又は他の物体が照明環境内に存在することをシステムに知らせる音声データを取得することができる。２つ以上のマイクロホンのマイクロホンアレイもまた、照明環境内の個人又は物体の位置を見積もるために用いられ得る。一実施形態として、例えば５０ｄＢなどの特定レベルを上回る雑音レベルを経験している部屋又は空間は、部屋又は空間内における占有及び／又は活動を示す。したがって、システムは、その後、本明細書中に記載される、さもなければ想定される多くの可能なアクションの中でもとりわけ、その空間内の光強度測定を一時的に停止するなど所定の一連のアクションを実行することができる。
【００５７】
方法のオプションのステップ５５０において、第２センサ３８のターゲット領域５４は、第２センサ３８により取得されたデータに少なくとも部分的に基づき決定され得る。一実施形態によれば、ユーザは、ターゲット面５０の目視検査、及び／又は第１センサ３２及び／又は第２センサ３８からの画像又はデータの目視検査に基づきターゲット領域５４を手動で選択する。別の実施形態によれば、照明システムは、例えば、第１センサ３２、第２センサ３８、光源１２の位置、並びに／又はターゲット面５０の形状、大きさ、構成及び／若しくは組成を含むモデルに基づきターゲット領域５４を自動的に選択する選択モジュールを含む。
【００５８】
一例として、照明ユニット又はシステムは、好ましいターゲット領域５４を決定するために、第２センサからのデータを解析することができる。別の例として、照明ユニットは、第２センサからのデータを解析し、強度データを取得するのに好適なターゲット領域を決定することができ、光センサに、識別されたターゲット領域のみに関する情報を取得するように指示することができる。第２センサ３８がカメラである実施形態によれば、カメラにより取得された画像データは照明環境内の空間的光分布を決定するために解析され得る。例えば、ターゲット領域は、カメラ画像を精査し、画像から、監視されるべき領域を決定することによって手動で又は自動で選択され得る、あるいはターゲット領域は、照明ユニット又はシステムのコントローラによって選択され得る。
【００５９】
第２センサ３８が飛行時間センサである実施形態によれば、センサデータは、例えば、センサとターゲット面との間に障害がない照明環境内の領域を検知するために解析され得る。第２センサ３８がマルチスペクトルイメージャである実施形態によれば、センサデータは、例えば、ターゲット面である画像内の領域、及びもしあれば、異なる光学的性質を持つことになる非ターゲット面である領域を識別するために解析され得る。
【００６０】
第２センサ３８がサーマルイメージャである実施形態によれば、センサデータは、領域又は物体の中でもとりわけ、人、電子デバイス、及び日光を受けている表面などの高い熱読み取り値を有する照明環境内の領域を検知するために解析され得る。照明ユニット又はシステムのコントローラは、高い熱読み取り値を有するこれら非ターゲット領域を識別し、識別された非ターゲット領域以外のエリアからの光センサデータを利用するのみ、又は識別された非ターゲット領域以外のエリアからのセンサデータのみを取得するように光センサに指示する、のいずれかである。
【００６１】
第２センサ３８が占有センサ、又は占有センサデータから作成された占有マップである実施形態によれば、占有情報又はマップは、占有者によって影響されている照明環境内の領域及び／又は占有者によって影響を受けていない照明環境内の領域を検知するために利用され得る。照明ユニット又はシステムのコントローラは、占有者によって影響されていない領域を識別し、これら識別された領域からの光センサデータのみを利用する、又はこれら識別された領域からのセンサデータのみを取得するように光センサに指示する、のいずれかである。第２センサ３８がマイクロホンである実施形態によれば、マイクロホンは占有を判定することができる、又は照明環境内の個人若しくは他の物体の位置を決定することができる。照明ユニット又はシステムのコントローラは、この情報を使用して、強度解析のためにターゲット領域を識別する。
【００６２】
方法のステップ５６０において、照明システムは、第２センサ３８からのデータを用いて第１センサ３２を較正する。較正は、多様な較正方法に従って実施されてもよい。例えば、照明システムは、第１センサにより取得されたデータを第２センサ３８により取得されたデータと比較することによって第１センサ３２を較正するように構成されているアルゴリズムを含んでもよい。一実施形態によれば、コントローラ２２は、例えば、ソフトウェアによって較正アルゴリズムを実行するようにプログラムされており、メモリ２８と併せて利用され得るプロセッサ２６であり得る又はそのようなプロセッサ２６を有し得る。メモリ２８は、プロセッサ２６によって実行するための較正アルゴリズムを記憶することができる。例えば、メモリ２８は、非一時的コンピュータ可読記憶媒体であってもよく、非一時的コンピュータ可読記憶媒体は、プロセッサ２６によって実行可能であり、システムに較正のステップの１つ以上を実行させる命令セットを含む。
【００６３】
一実施形態によれば、較正アルゴリズムは、光センサ３８によって測定された光レベルを、周囲光レベルセンサによって観測されたカメライメージャ３２の領域の画素強度と相関させる。換言すると、カメライメージャ３２は領域５２から光データを取得し、アルゴリズムは、そのデータを、光センサ３８によって領域５２内の領域５４から取得されたデータと相関させる。
【００６４】
一実施形態によれば、較正アルゴリズムは、周囲光レベルセンサ３８によって測定された光レベル及びレンジ情報を、周囲光レベルセンサによって観測された飛行時間カメライメージャ３２の領域の画素強度と相関させる。換言すると、飛行時間カメライメージャ３２は領域５２からデータを取得し、アルゴリズムは、そのデータを、光センサ３８によって領域５２内の領域５４から取得されたデータと相関させる。
【００６５】
別の実施形態によれば、較正アルゴリズムは、サーモスタット３８により測定された室温を、サーマルイメージャ３８による領域５４の画素強度と相関させる。換言すると、サーマルイメージャ３２は領域５２から熱データを取得し、アルゴリズムは、そのデータを、サーモスタット３８によって領域５２内の領域５４から取得されたデータと相関させる。
【００６６】
一実施形態によれば、較正アルゴリズムは、携帯電話又は聴覚センサ３８によって測定された音レベルを、携帯電話又はセンサハブの位置を観測するマイクロホン３２によって監視された音レベルと相関させる。換言すると、マイクロホン３２は、領域５２からデータを取得し、アルゴリズムは、そのデータを、第２のマイクロホン３８によって領域５２内の領域５４から取得されたデータと相関させる。
【００６７】
第１センサ３２が較正されると、第１センサ３２によって取得された記憶されたデータは、第１センサ３２によって用いられた較正係数によって調整され得る。あるいは、第１センサ３２が較正されると、第１センサ３２はターゲット面５０から較正されたデータを取得することができる。したがって、方法のオプションのステップ５６０において、較正された第１センサはターゲット面５０の一部又は全体からセンサデータを取得する。
【００６８】
一実施形態によれば、照明ユニット又はシステムは、ステップ５３２、５４０及び／又は５５０などの、方法のある箇所において、第２センサのターゲット領域５４をいつ選択するか、及び／又は較正データをいつ取得するかを決定する。例えば、ターゲット領域は、人又は移動物体がないとき若しくは他の望ましくない環境条件がないときにのみ選択されてもよい、又は較正データは、人又は移動物体がないとき若しくは他の望ましくない環境条件がないときにのみ取得されてもよい。別の例として、ターゲット領域は、環境条件が存在するときにのみ選択されてもよい、又は較正データは、環境条件が存在するときにのみ取得されてもよい。例えば、ターゲット領域は、昼光が存在するときにのみ選択されてもよい、又は較正データは、昼光が存在するときにのみ取得されてもよい。あるいは、較正データは、昼光がないときにのみ取得されてもよい。別の例として、ターゲット領域は、空間内の動きがないときにのみ選択される、又は較正データは、空間内の動きがないときにのみ取得される。この実施形態によれば、したがって、照明システム又はユニットは、動き及び／又は他の環境活動若しくは因子を監視することができ、ターゲット領域を選択するとき又は較正データを収集するときにその情報を利用する。
【００６９】
方法のオプションのステップ５７０において、コントローラは第１センサ３２からの較正されたデータを用いて、照明ユニット又はシステムによって放出される光プロファイルを調整する、さもなければ適応させる。一実施形態によれば、コントローラは、１つ以上の光源のビーム幅、角度及び／又は強度を調整することができる。例えば、コントローラは、１つ以上の光源を、照明環境内で検知される影を除去するように調整することができる。情報はまた、誤トリガの影響を低減するために、１つ以上の他のセンサの感度及び／又は性能を制御するためにも利用され得る。同様に、情報は、システムが制御を施す照明環境のフィーチャ、パラメータ、又は特性を変更するために利用され得る。例えば、コントローラは、ウインドウシェードに、開く又は閉じるように指示することができる、又は照明環境内の物体に、１つの位置から別の位置に移動するように指示することができる。
【００７０】
いくつかの発明実施形態が、本明細書で説明及び図示されてきたが、当業者は、本明細書で説明される機能を実行するための、並びに／あるいは、その結果及び／又は利点のうちの１つ以上を得るための、様々な他の手段及び／又は構造体を、容易に構想することとなり、そのような変形態様及び／又は修正態様は、本明細書で説明される発明実施形態の範囲内にあるものと見なされる。より一般的には、本明細書で説明される全てのパラメータ、寸法、材料、及び構成は、例示であることが意図されており、実際のパラメータ、寸法、材料、及び／又は構成は、本発明の教示が使用される特定の用途に応じて変化することを、当業者は容易に理解するであろう。当業者は、通常の実験のみを使用して、本明細書で説明される特定の発明実施形態に対する、多くの等価物を認識し、又は確認することが可能であろう。それゆえ、上述の実施形態は、例としてのみ提示されており、添付の請求項及びその等価物の範囲内で、具体的に説明及び特許請求されるもの以外の発明実施形態が実践されてもよい点を理解されたい。本開示の発明実施形態は、本明細書で説明される、それぞれの個別の特徴、システム、物品、材料、キット、及び／又は方法を対象とする。更には、２つ以上のそのような特徴、システム、物品、材料、キット、及び／又は方法の任意の組み合わせは、そのような特徴、システム、物品、材料、キット、及び／又は方法が相互に矛盾しない場合であれば、本開示の発明の範囲内に含まれる。
【００７１】
本明細書で定義及び使用されるような、全ての定義は、辞書定義、参照により組み込まれる文書中での定義、及び／又は定義される用語の通常の意味を支配するように理解されるべきである。
【００７２】
不定冠詞「ａ」及び「ａｎ」は、本明細書及び請求項において使用されるとき、そうではないことが明確に示されない限り、「少なくとも１つ」を意味するように理解されるべきである。
【００７３】
語句「及び／又は」は、本明細書及び請求項において使用されるとき、そのように結合されている要素の「いずれか又は双方」、すなわち、一部の場合には接続的に存在し、他の場合には離接的に存在する要素を意味するように理解されるべきである。「及び／又は」で列挙されている複数の要素は、同じ方式で、すなわち、そのように結合されている要素のうちの「１つ以上」として解釈されるべきである。「及び／又は」の節によって具体的に特定されている要素以外の他の要素は、具体的に特定されているそれらの要素に関連するか又は関連しないかにかかわらず、オプションとして存在してもよい。それゆえ、非限定例として、「Ａ及び／又はＢ」への言及は、「含む（comprising）」などのオープンエンドの言語とともに使用される場合、一実施形態では、Ａのみ（オプションとして、Ｂ以外の要素を含む）、別の実施形態では、Ｂのみ（オプションとして、Ａ以外の要素を含む）、更に別の実施形態では、Ａ及びＢの双方（オプションとして、他の要素を含む）などに言及することができる。
【００７４】
本明細書及び請求項において使用されるとき、「又は」は、上記で定義されたような「及び／又は」と同じ意味を有するように理解されるべきである。例えば、リスト内の項目を分離する際、「又は」又は「及び／又は」は、包括的であるとして、すなわち、少なくとも１つを含むが、また、いくつかの要素又は要素のリストのうちの２つ以上を、オプションとして、列挙されていない追加項目も含むとして解釈されるものとする。「〜のうちの１つのみ」若しくは「〜のうちの厳密に１つ」、又は請求項で使用される場合の「〜から成る」などの、その反対が明確に示される用語のみが、いくつかの要素又は要素のリストのうちの厳密に１つを含むことに言及する。一般に、用語「又は」は、本明細書で使用されるとき、「〜のいずれか」、「〜のうちの１つ」、「〜のうちの１つのみ」、又は「〜のうちの厳密に１つ」などの、排他性の用語に先行する場合にのみ、排他的選択肢（すなわち、「一方又は他方であるが、双方ではない」）を示すとして解釈されるものとする。「〜から本質的になる」は、請求項で使用される場合、特許法の分野で使用される際の、その通常の意味を有するものとする。
【００７５】
本明細書及び請求項において使用されるとき、１つ以上の要素のリストを参照する語句「少なくとも１つ」は、その要素のリスト内の要素の任意の１つ以上から選択された、少なくとも１つを意味するが、必ずしも、その要素のリスト内で具体的に列挙されているそれぞれの要素のうちの、少なくとも１つを含むものではなく、その要素のリスト内の要素の、任意の組み合わせを排除するものではないことが理解されるべきである。この定義はまた、語句「少なくとも１つ」が言及する、その要素のリスト内で具体的に特定されている要素以外の要素が、具体的に特定されているそれらの要素に関連するか又は関連しないかにかかわらず、オプションとして存在してもよいことも可能にする。それゆえ、非限定例として、「Ａ及びＢのうちの少なくとも１つ」（又は、等価的に「Ａ又はＢのうちの少なくとも１つ」、又は、等価的に「Ａ及び／又はＢのうちの少なくとも１つ」）は、一実施形態では、オプションとして２つ以上を含めた、少なくとも１つのＡであり、Ｂは存在しないこと（及び、オプションとしてＢ以外の要素を含む）、別の実施形態では、オプションとして２つ以上を含めた、少なくとも１つのＢであり、Ａは存在しないこと（及び、オプションとしてＡ以外の要素を含む）、更に別の実施形態では、オプションとして２つ以上を含めた、少なくとも１つのＡ、及び、オプションとして２つ以上を含めた、少なくとも１つのＢ（及び、オプションとして他の要素も含む）などに言及することができる。
【００７６】
また、そうではないことが明確に示されない限り、２つ以上のステップ又は行為を含む、本明細書で特許請求されるいずれの方法においても、その方法のステップ又は行為の順序は、必ずしも、その方法のステップ又は行為が列挙されている順序に限定されるものではないことも理解されるべきである。
【００７７】
請求項並びに上記の明細書では、「備える（comprising）」、「含む（including）」、「運ぶ（carrying）」、「有する（having）」、「包含する（containing）」、「伴う（involving）」、「保持する（holding）」、「〜で構成される（composed of）」などの全ての移行句は、オープンエンドであり、すなわち、含むが限定されないことを意味する点を理解されたい。米国特許庁の特許審査基準のセクション２１１１．０３に記載されているように、移行句「〜から成る」及び「〜から本質的に成る」のみが、それぞれ、クローズド又は半クローズドの移行句であるものとする。
【図１】
2019526152.tif 000003
【図２】
2019526152.tif 000004
【図３】
2019526152.tif 000005
【図４】
2019526152.tif 000006
【図５】
2019526152.tif 000007
【国際調査報告】
2019526152.tif 000008
2019526152.tif 000009